(57)【特許請求の範囲】
【請求項１】
原稿を、この原稿の先端部のみを所定の位置に接するよう支持する第１の位置と、前記原稿の先端部とこの先端部に接する前記原稿の２辺の内の１辺の双方が所定の位置に接するよう支持する第２の位置のいづれかで支持する原稿支持手段と、
この原稿支持手段に前記原稿がセットされる位置を、前記第１の位置および第２の位置のいづれかに対応する第１および第２の基準位置を表示する基準表示手段と、
前記原稿支持手段にセットされた前記原稿の位置が前記第１の位置および第２の位置のいづれに対応するかを検知する原稿位置検知手段と、
前記原稿支持手段にセットされた前記原稿の画像を出力する用紙の大きさを設定する用紙サイズ設定手段と、
前記原稿支持手段にセットされた前記原稿の画像を出力する倍率を入力する倍率入力手段と、
前記原稿支持手段にセットされた前記原稿の画像を、前記原稿の先端部に平行かつ前記先端部に直交する方向に所定の幅で、光の明暗情報として読み取る画像読取手段と、
前記基準表示手段の表示、前記原稿位置検知手段の検知結果、前記用紙サイズ設定により設定された前記用紙の大きさおよび前記倍率入力手段により入力された前記倍率のそれぞれに基づいて、前記画像読取手段により前記原稿の前記原稿の先端部に平行な方向の画像の読み取りを開始する位置を変更する読取位置制御手段と、
を、有する画像形成装置。
【請求項２】
原稿を支持する原稿支持手段と、
この原稿支持手段にセットされる前記原稿の第１の位置とこの第１の位置とは異なる第２の位置とを検知する原稿位置検知手段と、
前記原稿支持手段にセットされた前記原稿の画像を光の明暗情報として読み取る画像読取手段と、
この画像読取手段により前記原稿の画像の読取を開始する位置を前記原稿位置検知手段により検知された前記第１の位置および前記第２の位置との間で切り換える読取位置制御手段と、
前記画像読取手段により読み取られた画像を出力するための用紙を給送する用紙給送手段と、
前記画像読取手段により読み取られた前記原稿の画像を、前記原稿支持手段に前記原稿がセットされた位置と前記用紙給送手段を介して給送される前記用紙の所定の位置に、前記読取位置制御手段により変更された前記読み取りを開始する位置に対応して画像を形成する画像形成手段と、
を、有する画像形成装置。
【請求項３】
原稿を支持する原稿支持手段と、
この原稿支持手段に前記原稿がセットされる際に前記原稿の先端が接触されるものであって、前記原稿の前記先端と直交する前記原稿の２辺が前記原稿支持手段の前記原稿の先端と平行な方向のおおむね中央に位置するよう前記原稿がセットされる位置を指示する第１の位置と前記原稿の前記先端と直交する前記原稿の２辺の内の１辺が前記原稿支持手段の前記原稿の先端と直交する２辺の内の１辺と接するよう前記原稿がセットされる位置を指示する第２の位置を指示する原稿位置指示手段と、
前記原稿支持手段にセットされた前記原稿の画像を光の明暗情報として読み取る画像読取手段と、
この画像読取手段により読み取られた画像を出力するための用紙を給送する用紙給送手段と、
前記第１の位置と前記第２の位置との間の距離をｎ [ｍｍ] 、
前記原稿の前記２辺間の距離をＰ [ｍｍ] 、及び、
前記原稿が前記第１の位置にセットされた場合と前記原稿が前記第２の位置にセットされた場合とにより前記画像読取手段により前記原稿の画像の読取を開始する位置の変更量をＱ [ｍｍ] とするとき、
Ｑ  ＝  ｎ  −  Ｐ／２
により、前記画像読取手段により前記原稿の画像の読取を開始する位置を、前記第１の位置および前記第２の位置との間で切り換える読取位置制御手段と、
前記画像読取手段により読み取られた前記原稿の画像を、前記原稿支持手段に前記原稿がセットされた位置と前記用紙給送手段を介して給送される前記用紙の所定の位置に、前記読取位置制御手段により変更された前記読み取りを開始する位置に対応して画像を形成する画像形成手段と、
を、有する画像形成装置。
【発明の詳細な説明】
【０００１】
【産業上の利用分野】
この発明は、静電複写プロセスによって画像データに対応する画像を形成して用紙に出力する画像形成装置に関する。
【０００２】
【従来の技術】
静電複写プロセスが利用されている画像形成装置、たとえば、電子写真式複写装置は、複写すべき原稿を保持する原稿保持部、原稿保持部により保持された原稿の画像情報を光の明暗情報として取り出す画像読取部、及び、画像読取部により読取られた画像情報に基づいて複写像を形成したのち記録材に出力する画像形成部などを有している。
【０００３】
原稿保持部は、たとえば、ガラス板などの透明な材質により形成された原稿台と、複写対象としての原稿が載置されるべき位置を指示する原稿スケールとを有している。
【０００４】
画像読取部は、原稿台にセットされた原稿を照明する照明ランプ、照明ランプにより照明された原稿からの反射光を光電変換して画像情報に対応する電気信号に変換するＣＣＤ読み取り装置、及び、原稿からの反射光を安定な状態でＣＣＤ読み取り装置の受光面に入射させるための結像レンズ装置を有している。なお、原稿からＣＣＤ読み取り装置に向かう反射光は、一般に、装置の設置面積を低減する目的により、原稿台とＣＣＤ読み取り装置との間に配置される複数のミラーにより複数回折り曲げられたのちＣＣＤ読み取り装置の受光面に案内される。
【０００５】
画像形成部は、ＣＣＤ読み取り装置により読取られた原稿の像に対応する静電潜像を保持する感光体、感光体を所定の電圧に帯電させる帯電装置、帯電装置により帯電された感光体に静電潜像を形成するための画像情報光を照射する像露光装置、像露光装置により感光体に形成された静電潜像に現像剤を供給することで現像する現像装置、現像装置により感光体上に形成された現像剤像を画像出力材としての記録材に転写する転写装置、及び、転写装置に向けて記録材を給送する記録材給送機構などにより構成される。なお、転写装置を介して記録材に転写された現像剤像は、定着装置により加熱されることで溶融され、定着装置から供給される圧力により記録材に定着される。
【０００６】
ところで、原稿保持部に原稿をセットする場合の位置基準として、原稿の先端と先端に接する２辺の内の１辺とからなる２辺を利用する角基準と、原稿の先端とそのの中央部を利用する中央基準とが知られている。
【０００７】
角基準の電子写真式複写装置では、原稿保持部に原稿をセットする場合に原稿の大きさを考慮する必要がなく、常に、同一位置に原稿をセットすればよい。しかしながら、原稿の大きさと複写倍率に基づいて必要となる記録材の大きさと実際に供給される記録材の大きさとが一致しない場合には、複写により得られる複写画像が記録材の隅に偏って複写されることが知られている。また、記録材給送機構が部分的に磨耗あるいは経時変化しやすいことおよび結像レンズ装置のレンズ動作ならびにコサイン４乗則にともなう明るさの補正などが複雑になることが知られている。
【０００８】
これに対して、中央基準の電子写真式複写装置では、原稿の大きさと複写倍率に基づいて必要となる記録材の大きさと実際に供給される記録材の大きさとが一致しない場合であっても、所定の複写倍率の範囲では、原稿の画像が記録材のおおむね中央に複写できる。その一方で、原稿台に原稿をセットする際に中心がずれやすく、不所望な複写物が発生しやすくなることが知られている。
【０００９】
【発明が解決しようとする課題】
ところで、現在、市場には、上述した角基準の電子写真式複写装置と中央基準の電子写真式複写装置の双方が混在している。このことは、利用者が、それ以前に利用していた複写装置と原稿基準位置が異なる複写装置に交換した場合に、不所望な複写物を頻繁に発生させる問題がある。また、利用者が複数の複写装置を保有し、その複写装置が角基準と中央基準の双方である場合には、記録材の中心と複写によって得られた画像の中心とが一致しない複写物が生じやすい問題がある。
【００１０】
このことは、複写コストを増大させるばかりでなく、さらに、現像剤の部分的な消費すなわち複写によって得られた画像の特定の領域における画像濃度の低下などを引き起こす問題がある。
この発明の目的は、原稿台にセットされる原稿の位置に拘りなく記録材の中央に複写画像を形成する画像形成装置を提供することにある。
【００１１】
【課題を解決するための手段】
この発明は、上記問題点に基づきなされたもので、原稿を支持する原稿支持手段と、この原稿支持手段にセットされる前記原稿の第１の位置とこの第１の位置とは異なる第２の位置とを検知する原稿位置検知手段と、前記原稿支持手段にセットされた前記原稿の画像を光の明暗情報として読み取る画像読取手段と、この画像読取手段により前記原稿の画像の読取を開始する位置を前記原稿位置検知手段により検知された前記第１の位置および前記第２の位置との間で切り換える読取位置制御手段と、前記画像読取手段により読み取られた画像を出力するための用紙を給送する用紙給送手段と、前記画像読取手段により読み取られた前記原稿の画像を、前記原稿支持手段に前記原稿がセットされた位置と前記用紙給送手段を介して給送される前記用紙の所定の位置に、前記読取位置制御手段により変更された前記読み取りを開始する位置に対応して画像を形成する画像形成手段とを提供するものである。
【００１２】
また、この発明によれば、原稿を支持する原稿支持手段と、この原稿支持手段に前記原稿がセットされるべき第１および第２の位置を指示する原稿位置指示手段と、前記原稿支持手段にセットされた前記原稿の画像を光の明暗情報として読み取る画像読取手段と、前記原稿位置指示手段の指示を前記第１の位置および前記第２の位置との間で切り換える原稿位置入力手段と、前記画像読取手段により読み取られた画像を出力するための用紙を給送する用紙給送手段と、前記画像読取手段により前記原稿の画像の読取を開始する位置を、原稿位置指示手段により指示された位置と前記原稿位置入力手段により入力された位置とに基づいて、前記第１の位置および前記第２の位置との間で切り換える読取位置制御手段と、前記画像読取手段により読み取られた前記原稿の画像を、前記原稿支持手段に前記原稿がセットされた位置と前記用紙給送手段を介して給送される前記用紙の所定の位置に、前記読取位置制御手段により変更された前記読み取りを開始する位置に対応して画像を形成する画像形成手段とを有する画像形成装置が提供される。
【００１５】
さらにまた、この発明によれば、原稿を支持する原稿支持手段と、この原稿支持手段に前記原稿がセットされる際に前記原稿の先端が接触されるものであって、前記原稿の前記先端と直交する前記原稿の２辺が前記原稿支持手段の前記原稿の先端と平行な方向のおおむね中央に位置するよう前記原稿がセットされる位置を指示する第１の位置と前記原稿の前記先端と直交する前記原稿の２辺の内の１辺が前記原稿支持手段の前記原稿の先端と直交する２辺の内の１辺と接するよう前記原稿がセットされる位置を指示する第２の位置を指示する原稿位置指示手段と、前記原稿支持手段にセットされた前記原稿の画像を光の明暗情報として読み取る画像読取手段と、この画像読取手段により読み取られた画像を出力するための用紙を給送する用紙給送手段と、前記第１の位置と前記第２の位置との間の距離をｎ  ［ｍｍ］  、前記原稿の前記２辺間の距離をＰ  ［ｍｍ］  、及び、前記原稿が前記第１の位置にセットされた場合と前記原稿が前記第２の位置にセットされた場合とにより前記画像読取手段により前記原稿の画像の読取を開始する位置の変更量をＱ  ［ｍｍ］  とするとき、  Ｑ  ＝  ｎ  −  Ｐ／２  により、前記画像読取手段により前記原稿の画像の読取を開始する位置を、前記第１の位置および前記第２の位置との間で切り換える読取位置制御手段と、前記画像読取手段により読み取られた前記原稿の画像を、前記原稿支持手段に前記原稿がセットされた位置と前記用紙給送手段を介して給送される前記用紙の所定の位置に、前記読取位置制御手段により変更された前記読み取りを開始する位置に対応して画像を形成する画像形成手段とを有する画像形成装置が提供される。
【００１７】
【作用】
この発明によれば、原稿支持手段により支持される原稿の画像を読み取る読み取りを開始する位置は、原稿位置検知手段で検知された第１の位置と第２の位置との間で読取位置制御手段により切り換えられる。従って、原稿支持手段に原稿がセットされる位置が変化された場合であっても、原稿支持手段に原稿がセットされた状態とおおむね等しい状態で、用紙に原稿の画像を提供できる。
【００１８】
また、この発明によれば、原稿支持手段により支持される原稿の画像を読み取る読み取りを開始する位置は、原稿位置指示手段により指示された位置と原稿位置入力手段により入力された位置とに基づいて、第１の位置と第２の位置との間で読取位置制御手段を介して切り換えられる。従って、原稿支持手段に原稿がセットされる位置が変化された場合であっても、原稿支持手段に原稿がセットされた状態とおおむね等しい状態で、用紙に原稿の画像を提供できる。
【００１９】
さらに、この発明によれば、読取位置制御手段により、原稿支持手段における第１の位置と第２の位置との間の距離をｎ [ｍｍ] 、原稿の２辺間の距離をＰ [ｍｍ] 、及び、原稿が第１の位置にセットされた場合と第２の位置にセットされた場合とにより画像読取手段により原稿の画像の読み取りが開始される位置の変更量をＱ [ｍｍ] とするとき、  Ｑ  ＝  ｎ  −  Ｐ／２  で、画像読取手段により原稿の画像の読み取りが開始される位置が第１の位置および第２の位置との間で切り換られることから、画像読取手段により読み取られた原稿の画像を、原稿支持手段に原稿がセットされた位置と用紙給送手段を介して給送される用紙の所定の位置に、読取位置制御手段により変更された読み取りを開始する位置に対応して画像を形成することが可能となる。これにより、原稿支持手段に原稿がセットされる位置が変化された場合であっても、原稿支持手段に原稿がセットされた状態とおおむね等しい状態で、用紙に原稿の画像を提供できる。
【００２０】
【実施例】
以下、図面を参照してこの発明の実施例を詳細に説明する。
図２に示される通り、画像形成装置すなわち電子写真式ディジタル複写装置２は、読み取り手段として機能する画像読取部４と画像形成手段として機能する画像形成部６とを有している。なお、画像読取部４の上部には、画像読取部４の後述する原稿台に対して開閉可能に形成され、読取対象物すなわち原稿Ｄを、原稿台に向けて１枚ずつ給送するとともに、原稿台に載置された原稿Ｄを原稿台に密着させる原稿押さえとして機能する原稿自動給送装置  （以下、ＡＤＦと示す）  ８がセットされている。
【００２１】
画像読取部４は、その上部に、閉じた状態にあるＡＤＦ８に対向され、原稿Ｄがセットされる透明なガラスからなる原稿台１１と、原稿台１１の一端に配置され、原稿台１１に原稿Ｄをセットすべき位置を示す基準表示装置１２とを有している。なお、原稿台１１を取り巻く原稿台１１の近傍には、図３を用いて後述するコントロールパネルが配置されている。
【００２２】
原稿台１１の下方には、画像読取部４の構成として、原稿台１１に載置された原稿Ｄを照明する露光ランプ１３、露光ランプ１３からの光を原稿Ｄに集光させるための補助反射板１４、及び、原稿Ｄからの反射光を図中左方向に折曲げる第１ミラー１５などが配置されている。露光ランプ１３、補助反射板１４および第１ミラー１５は、第一キャリッジ１６に固定されており、第一キャリッジ１６の移動にともなって原稿台１１と平行に移動可能に配置されている。なお、第一キャリッジ１６は、図示しない歯付きベルト等を介して図示しないパルスモータの駆動力が伝達されて、原稿台１１に沿って平行に移動される。
【００２３】
原稿台１１の下方であって、基準表示装置１２と原稿台１１とが接せられている近傍の所定の位置には、図４を用いて後述する原稿台１１のどこに原稿Ｄがセットされたかを検知するための原稿位置検知センサ１７が配置されている。
【００２４】
原稿台１１の図中左方、第１ミラー１５により反射された反射光が案内される方向には、図示しない駆動機構たとえば歯付きベルトならびにＤＣモータなどを介して原稿台１１と平行に移動可能に形成された第二キャリッジ２０が配設されている。
【００２５】
第二キャリッジ２０には、第１ミラー１５により案内される原稿Ｄからの反射光を下方に折曲げる第２ミラー２１および図中右方に折り曲げる第３ミラー２２が互いに直角に配置されている。第二キャリッジ２０は、第一キャリッジ１６を駆動する図示しない歯付きベルトなどにより第一キャリッジ１６に従動されるとともに、第一キャリッジ１６に対して１／２の速度で原稿台１１に沿って平行に移動される。
【００２６】
第一キャリッジ１６の下方であって、第二キャリッジ２０を介して折返された光の光軸を含む面内には、第二キャリッジ２０からの反射光を所定の倍率で結像させる結像レンズ２３、及び、結像レンズ２３により集束性が与えられた反射光を電気信号すなわち画像データに変換するＣＣＤイメージセンサ２４が配置されている。
【００２７】
画像形成部６は、複写装置２のほぼ中央に回転自在に位置された像担持体としての感光体ドラム３０を有している。感光体ドラム３０は、図示しないモータにより所定の回転速度で回転される。
【００２８】
感光体ドラム３０の周囲の所定の位置には、ドラム表面を所定の電荷に帯電させる帯電チャージャ３１、後述する画像処理部から供給される画像データすなわち画像形成すべき画像情報に対応する図示しないレーザダイオードから発生されたレーザビームを、偏向装置としてのポリゴンミラー３２ａにより感光体ドラム３０の軸線方向に偏向するとともに第１および第２の折り返しミラー３２ｂおよび３２ｃならびにｆθレンズ３２ｄを介して感光体ドラム３０の表面に露光するすることで感光体ドラム３０の表面に静電潜像を形成するレーザ露光装置３２、レーザ露光装置３２による露光により感光体ドラム３０の表面上に形成された静電潜像に現像剤としてのトナーを供給して所望の画像濃度で現像する現像ローラ３３ａを有する現像装置３３、後述する用紙カセットから給紙された被転写材すなわちコピー用紙Ｐに感光体ドラム３０に形成されたトナー像を転写するとともにトナー像が転写された用紙Ｐを感光体ドラム３０から分離させるための転写・剥離チャージャ３４、感光体ドラム３０の表面からコピー用紙Ｐを剥離する剥離爪３５、感光体ドラム３０の表面に残留したトナーを清掃するクリーニング装置３６、及び、感光体ドラム３０の表面に残った電位を除電する除電装置３７が、順に、配置されている。
【００２９】
感光体ドラム３０の下方に位置される複写装置２の底部には、複写装置２の正面側より着脱自在に上下複数段に装着された給紙手段としての多段給紙装置  （以下、ＰＦＰと示す）  ４０が複写装置２と一体的に配置されている。
【００３０】
ＰＦＰ４０は、さまざまな大きさのコピー用紙Ｐを複数種類収納するための上段カセット４１、中段カセット４２および下段カセット４３を含み、それぞれのカセット４１，４２および４３は、たとえば、長手方向に沿って搬送されるよう置かれたＡ４サイズのコピー用紙、Ｂ４サイズのコピー用紙およびＡ３サイズのコピー用紙を、それぞれ、５００枚程度収納可能に形成されている。
【００３１】
上段カセット４１、中段カセット４２および下段カセット４３の所定の位置には、それぞれのカセット４１，４２および４３から用紙Ｐを１枚づつ取り出すピックアップローラ４４ａ，４４ｂおよび４４ｃが配置されている。
【００３２】
それぞれのピックアップローラ４４ａ，４４ｂおよび４４ｃにより各カセット４１，４２および４３から取り出された用紙Ｐの先端部が通過される位置には、用紙Ｐを１枚づつ分離するための搬送ローラ４５ａ，４５ｂおよび４５ｃと、それぞれの搬送ローラと一体的に配置された分離ローラ４６ａ，４６ｂおよび４６ｃが配置されている。分離ローラ４６ａ，４６ｂおよび４６ｃは、それぞれ、相互に組み合わせられた搬送ローラに対して軸線が平行に、かつ、所定の圧力で接触するよう配置されるとともに、搬送ローラの回転方向と逆方向に回転されることで、各カセットから取り出された用紙Ｐの最も上の１枚のみを後述する搬送路へ送出する。
【００３３】
ＰＦＰ４０の図中右方には、使用頻度の高いサイズの用紙Ｐ、たとえば、Ａ４サイズの用紙Ｐを３０００枚程度収納可能に形成された大容量フィーダ  （以下、ＬＣＦと示す）  ４７が設けられている。ＬＣＦ４７の所定の位置には、ＬＤＦ４７に収容された用紙Ｐを１枚づつ取り出すピックアップローラ４８が配置されている。ピックアップローラ４８と感光体ドラム３０との間には、上下一対に組み合わせられた搬送ローラ４９ａおよび分離ローラ４９ｂを含む分離機構４９が配置されている。分離機構４９は、分離ローラ４９ｂを搬送ローラ４９ａが回転される方向に対して逆方向に回転させることで、ピックアップローラ４８によりＬＤＦ４７から取り出された用紙Ｐの最も上の１枚のみを後述する搬送路へ送出する。
【００３４】
ＬＣＦ４７の上部には、各カセット４１，４２，４３およびＬＣＦ４７とは独立に、コピー用紙Ｐを給送可能な手差しフィーダ５０が形成されている。手差しフィーダ５０と感光体ドラム３０との間には、手差しフィーダ５０に挿入された用紙Ｐを取り込む手差し用ピックアップローラ５１、ピックアップローラ５１により取り込まれた用紙Ｐをガイドする手差しガイド５２、及び、手差しガイド５２を介して感光体ドラム３０に向かって案内される用紙Ｐを搬送する搬送ローラ５３が設けられている。
【００３５】
それぞれのカセット４１，４２および４３ならびにＬＣＦ４７と感光体ドラム３０との間には、各カセット４１，４２および４３ならびにＬＣＦ４７から感光体ドラム３０に向かって用紙Ｐを案内する搬送路５４が形成されている。この搬送路５４は、さらに、感光体ドラム３０と転写・剥離チャージャ３３との間に規定される転写領域を経て、複写装置２の外部まで延出されている。また、搬送路５４には、いずれかのカセットまたはＬＣＦもしくは手差しガイドから給送された用紙Ｐを、感光体ドラム３０に向かって搬送するための複数の搬送ローラ５５が設けられている。
【００３６】
搬送路５４の感光体ドラム３０の近傍、かつ、上流側には、搬送路５４を案内されたコピー用紙Ｐの傾きを補正するとともに、感光体ドラム３０上のトナー像の先端とコピー用紙Ｐの先端とを整合させ、感光体ドラム３０の外周面の移動速度と同じ速度でコピー用紙Ｐを、転写領域へ給紙するアライニングローラ５６が配設されている。また、アライニングローラ５６の手前すなわち搬送ローラ５５側には、アライニングローラ５６へのコピー用紙Ｐの到達を検出するアライニングセンサ５６ａが設けられている。
【００３７】
転写領域を通過された用紙Ｐが進行する方向には、用紙Ｐを搬送する搬送ベルト５７が組み込まれている。搬送ベルト５７により用紙Ｐが搬送される方向であって、感光体ドラム３０に対して熱を与えにくい位置には、ローラ表面が互いに圧接されたヒートローラ対を含み、トナー像が転写された用紙Ｐを加熱することでトナー像を溶融させつつトナー像と用紙Ｐとを加圧して用紙Ｐにトナー像を定着させる定着装置５８が設けられている。
【００３８】
定着装置５８に対向した複写装置２の側壁には、定着装置５８によりトナー像が定着された用紙Ｐが排出される排出トレイ５９が配置されている。
定着装置５８と排出トレイ５９との間には、定着装置５８によりトナー像が定着されたコピー用紙Ｐを、後述する用紙反転部あるいは排出トレイ５９のいづれかに案内する排出切換ユニット６０が配置されている。
【００３９】
排出切換ユニット６０は、定着装置５８を通過された用紙Ｐを推進する第１および第２の排出ローラ６１および６２、及び、第１および第２の排出ローラ６１および６２の間に配置され、定着装置５８を通過されたコピー用紙Ｐを、排出トレイ５９あるいは後述する用紙反転部のいづれかに選択的に振り分ける振り分けゲート６３を有している。
【００４０】
反転機構６４は、既に転写領域および定着装置５８を通過されたコピー用紙Ｐを一時的に集積する一時集積部６５、定着装置５８を通過したコピー用紙Ｐの表裏を反転して一時集積部６５に導く反転路６６、一時集積部に集積されたコピー用紙Ｐを一枚づつ取り出すピックアップローラ６７、一時集積部６５に収容された用紙Ｐを再びアライニングローラ５６に案内する反転搬送路６８、及び、反転搬送路６８に案内された用紙Ｐをアライニングローラ５６に向かって給紙する給紙ローラ６９を有している。
【００４１】
ＡＤＦ８は、カバー７１を有し、カバー７１の後端縁部が複写装置２の上面後端縁部に図示しないヒンジ装置を介して取付けられており、必要に応じてＡＤＦ８全体を回動変位させることで、既に得に説明したように、画像読取部４の原稿台１１に対して開閉可能に形成されている。
【００４２】
カバー７１の上面やや左方向部位には、複数枚の原稿Ｄを保持する原稿給紙台７２が設けられている。原稿給紙台７２の図中左方すなわちＡＤＦ８の一端側には、原稿給紙台７２にセットされた原稿Ｄを順次一枚ずつ取出すとともに、図中左端側から画像読取部４の原稿台１１の一端側に供給するためのピックアップローラ７３が配置されている。原稿給紙台７２の所定の位置には、原稿給紙台７２への原稿Ｄがセットされたか否かを検知する原稿検知センサとしてのエンプテイセンサ７３が配設されている。なお、原稿給紙台７２には、原稿台１１に原稿Ｄがセットされた位置を検知する原稿位置検知センサ１７と同様に機能する図示しない原稿幅検知センサが配置されてもよい。
【００４３】
ピックアップローラ７３の原稿取出し方向には、ピックアップローラ７３により取り出された原稿Ｄを原稿台１１に向けて送出する給紙ローラ７４、給紙ローラ７４により給送された原稿Ｄの先端を整位するアライニングローラ７５が配置されている。なお、アライニングローラ７５と給紙ローラ７４との間には、原稿Ｄのアライニングローラ７５への到達を検出するアライニングセンサ７５ａが配置されている。
【００４４】
カバー７１の内側であって、ＡＤＦ８が閉じられた状態で画像読取部４の原稿台１１と対向される位置には、原稿台１１のほぼ全体を覆う大きさが与えられ、ピックアップローラ７３、給紙ローラ７４およびアライニングローラ７５を介して原稿給紙台７２から搬送された原稿Ｄを原稿台１１の所定の位置に搬送する搬送ベルト７６が配置されている。搬送ベルト７６は、図中左右一対に配置されたベルトローラ７７に掛渡され、図示しないベルト駆動機構によって、図中右側および図中左側の両方向に向けて回転される。
【００４５】
ＡＤＦ８の右側部位には、搬送ベルト７６により図中左側から図中右側に移動される原稿Ｄをカバー７１の外側に向けて送出する反転ローラ７８、反転ローラ７８に原稿Ｄを押し付けるピンチローラ７９、反転ローラ７８とピンチローラ７９により搬送される原稿Ｄを、再び搬送ベルト７６へ戻すか所定の排出位置すなわちカバー７１上に排出させるかを切り換えるフラッパ８０、フラッパ８０が排出側に切り換えられている場合に、反転ローラ７８により搬送された原稿Ｄを排出させる排紙ローラ８１、及び、反転ローラ７８の近傍での原稿のジャムを検知するジャムセンサ８２などが配置されている。
【００４６】
図１は、図２に示した電子写真式ディジタル複写装置２の制御機構を概略的に示すブロック図である。
電子写真式ディジタル複写装置２の制御機構は、図３を用いて後述するコントロールパネルならびに原稿台１１に原稿をセットする際の基準位置を示す基準表示装置１２を制御するコントロールパネル部１１０、原稿Ｄの画像情報を読み取るスキャナ部１２０、入力された画像情報に基づいて用紙Ｐに画像を形成するプリンタ部１３０、スキャナ部１２０および後述する外部装置から供給される画像データを処理するメモリ編集部１４０、たとえば、ファクシミリ装置、ハードディスク装置、あるいは、周知のローカルエリアネットワーク  （以下、ＬＡＮと示す）  に接続されたコンピュータおよびワードプロセッサなどからの画像データの入力を管理するシステム部１５０、及び、コントロールパネル部１１０、スキャナ部１２０、プリンタ部１３０、メモリ編集部１４０およびシステム部１５０のそれぞれの間の信号の受け渡しを制御するメインコントロール部１６０に大別される。
【００４７】
コントロールパネル部１１０は、コントロールパネルＣＰＵ１１１と、コントロールパネルＣＰＵ１１１に接続されたリード・オンリ・メモリ  （以下、ＲＯＭと示す）  １１２およびランダム・アクセス・メモリ  （以下、ＲＡＭと示す）  １１３により構成されている。
【００４８】
コントロールパネルＣＰＵ１１１は、ＲＯＭ１１２およびＲＡＭ１１３に記憶されているデータをもとに、図３を用いて後述するコントロールパネルならびに基準表示装置１２に配置されているさまざまなスイッチおよびタッチパネルによる入力の検知、タッチパネルへの表示、及び、ＬＥＤの点灯および消灯などを制御する。
【００４９】
スキャナ部１２０は、スキャナＣＰＵ１２１と、スキャナＣＰＵ１２１に接続されたＲＯＭ１２２およびＲＡＭ１２３を含み、ＲＯＭ１２２およびＲＡＭ１２３に記憶されている制御データに基づいたスキャナＣＰＵ１２１の制御により、画像読み取り部４のＣＣＤイメージセンサ２４を動作させて原稿Ｄの画像を光の明暗情報として取り込むとともに、第一キャリッジ１６および第二キャリッジ２０を所定の速度で移動させるための図示しないＤＣモータなどを付勢するための機構制御部１２４に所定の駆動信号を出力する。
【００５０】
また、スキャナ部１２０は、ＣＣＤイメージセンサ２４から出力されたアナログ画像データを周知のＡ／Ｄ変換によりディジタル信号に変換するＡ／Ｄ変換回路１２５、Ａ／Ｄ変換回路１２５を介してディジタル信号に変換された画像信号からＣＣＤイメージセンサ２４の出力の個体誤差ならびに照明ランプ１３からの光量の不均一性などに関する影響を除去するシェーディング補正回路１２６、及び、ＣＣＤイメージセンサ２４により読み取られた原稿Ｄの画像情報を所定のタイミングで後段に接続されたメモリ編集部１４０に供給するためのラインメモリ１２７を有し、ＲＯＭ１２２およびＲＡＭ１２３のデータに基づいたスキャナＣＰＵ１２１の制御により、ＣＣＤイメージセンサ２４により読み取られた原稿Ｄの画像情報を電気信号に変換したのち所定のスレショルドレベルで２値化して後段に接続されたメモリ編集部１４０の後述するページメモリに出力する。
【００５１】
なお、スキャナＣＰＵ１２１には、ＡＤＦ８も接続されている。ＡＤＦ８は、後述するメインコントロール部１６０による制御に基づくスキャナＣＰＵ１２１の制御により原稿Ｄを給送する。また、スキャナＣＰＵ１２１には、図示しない座標入力装置からの編集データが入力された場合に、メモリ編集部１４０の後述するページメモリに、所定の制御データを出力するとともに画像形成に利用される画像データを保持するためのメモリエリアの大きさを制御するエディタ１２８も接続されている。
【００５２】
プリンタ部１３０は、プリンタＣＰＵ１３１と、プリンタＣＰＵ１３１に接続されたＲＯＭ１３２およびＲＡＭ１３３を含み、画像読み取り部４を介して読み取られた画像情報および後述する外部装置から供給される画像データに基づいて用紙Ｐに画像を形成する。
【００５３】
プリンタＣＰＵ１３１には、感光体ドラム３０、現像装置３３の現像ローラ３３ａ、アライニングローラ、搬送ベルト、定着装置、反転機構、及び、多段給紙装置４０の各カセット４１，４２および４３ならびにＬＤＦ４７のそれぞれに配置されたピックアップローラならびに搬送ローラおよび分離ローラなど回転する図示しないモータを駆動するモータ駆動回路１３４、原稿台１１にセットされた原稿Ｄの位置を検知する原稿位置検知センサ１７、各カセット４１，４２および４３ならびにＬＤＦ４７のそれぞれに配置された図示しないペーパーエンプティスイッチ、搬送路５４および反転機構６４の所定の位置に配置され、用紙Ｐの詰まりなどを検知する図示しないレバースイッチ、及び、アライニングセンサ５６ａなどのスイッチおよびセンサから出力される信号の入力に利用される入力回路１３５、及び、たとえば、排出切換ユニット６０の振り分けゲート６３あるいは清掃装置３５に含まれる図示しないソレノイドなどを付勢するための機構制御部１３６などが接続されている。
【００５４】
プリンタＣＰＵ１３１には、また、定着装置５８の温度を制御する温度制御回路１３７、帯電チャージャ、現像装置および転写・剥離チャージャなどに所定の電圧を与える電圧供給回路１３８、及び、レーザ露光装置３２の図示しないレーザダイオードから出射されるレーザビームの光強度を後述するページメモリから供給される画像データに対応して強度変調するレーザ駆動回路１３９などが接続され、ＲＯＭ１３２およびＲＡＭ１３３のデータに基づいたプリンアＣＰＵ１３１の制御により、用紙Ｐに画像を形成する。
【００５５】
メモリ編集部１４０は、メモリ制御ＣＰＵ１４１を含み、メインコントロール部１６０の後述するメインＣＰＵとシステム部１５０の後述するシステムＣＰＵとの双方からの指示に応じてスキャナ部１２０あるいは外部装置から供給される画像データをプリンタ部１３０のレーザ露光装置３２のレーザダイオードから出射されるレーザビームの強度変調に利用されるビットマップデータに変換したのち、後段に示すページメモリに一時的に記憶させる。
【００５６】
メモリ制御ＣＰＵ１４１には、システム部１５０を経由して外部装置から供給された画像データと、スキャナ部１２０を介して読み取られたのちメインコントロール部１６０の後段に説明する画像処理部により所定の形式に変換された原稿Ｄの画像データとを編集する画像編集部１４２、入力された画像データを圧縮または伸張する圧縮／伸張部１４３、入力された画像データを拡大、縮小または回転する拡大／縮小／回転部１４４、画像編集部１４２、圧縮／伸張部１４３および拡大／縮小／回転部１４４を介して処理された画像データを１ページ分ずつ記憶するページメモリ１４５、メモリアドレスを管理するアドレス制御部１４６、メモリのデータを管理するメモリ管理制御部１４７、及び、画像編集部１４２に取り込まれた画像データに対して圧縮／伸張および拡大／縮小／回転などの処理のための指示を与える割込制御部１４８とが接続されている。
【００５７】
システム部１５０は、スキャナ部１２０以外から供給される画像データの取り込みを制御するシステムＣＰＵ１５１を含み、システムＣＰＵ１５１に接続された外部装置としてのファクシミリ装置１５２、ハードディスク装置１５３、図示しないコンピュータおよびワードプロセッサなどが接続されたＬＡＮ１５４、及び、ファクシミリ１５２、ハードディスク装置１５３およびＬＡＮ１５４を介して供給される画像データをコードデータから複写装置２が処理可能な形式の画像データに変換するプリンタコントローラ１５５のそれぞれを制御することでメモリ編集部１４０の画像編集部１４２に画像データを入力させる。
【００５８】
メインコントロール部１６０は、複写装置２の動作すなわちコントロールパネル部１１０、スキャナ部１２０、プリンタ部１３０、メモリ編集部１４０およびシステム部１５０のそれぞれのＣＰＵ１２１，１３１，１４１および１５１を制御するメインＣＰＵ１６１を有している。
【００５９】
メインＣＰＵ１６１には、複写装置２を動作させるためのイニシャルデータなどが記憶されているＲＯＭ１６２と、各ＣＰＵ１２１，１３１，１４１および１５１の制御によりコントロールパネル部１１０、スキャナ部１２０、プリンタ部１３０、メモリ編集部１４０およびシステム部１５０のそれぞれから入力されたさまざまなデータを保持するＲＡＭ１６３とが接続されている。
【００６０】
メインＣＰＵ１６１には、また、システム部１５０を介して入力されたコードデータをメモリ編集部１４０のページメモリ１４５に記憶させるために利用されるプリンタフォントを保持するプリンタフォントＲＯＭ１６４、図示しない編集用表示装置に対してシステム部１５０を介して入力されたコードデータに対応する画像を表示させるとともに、図３を用いて後述するコントロールパネルの液晶表示／入力パネルに対して所定の画像を表示させるためのディスプレイフォントを保持するディスプレイフォントＲＯＭ１６５、スキャナ部１２０で読み取った画像データの送り先の指定およびプリンタ部１３０へ供給する画像データの切り替えなどに利用されるとともに、スキャナ部１２０のラインメモリ１２７とメモリ編集部１４０のページメモリ１４５との間およびページメモリ１４５とレーザ露光装置３２との間を転送される画像データに対してバッファメモリとして機能するデータ切り換え／バッファメモリ１６６、及び、入力された画像データをマスキングあるいはトリミングする画像処理部１６７が接続されている。
【００６１】
図３は、図２に示した複写装置に組み込まれるコントロールパネルの一例を示す概略平面図である。
図３によれば、コントロールパネル１７０は、複写条件、画像編集操作あるいはファクシミリ装置通信機能操作として、たとえば、カタカナにより送信相手先名などを入力可能な複数の入力キーとファクシミリ送信相手先の特定のファクシミリ番号をプリセット可能な短縮ダイアルモードに利用される短縮ダイアルキーとして利用されるタッチパネル１７１、タッチパネル１７１と一体に形成され、複写装置２およびＡＤＦ８の動作状態あるいはタッチパネルを構成するさまざまなキーエリアを表示する液晶表示／入力装置  （以下、ＬＣＤパネルと示す）  １７２、及び、複写装置２の状態たとえば用紙切れあるいは用紙詰まりなどを表示するＬＥＤパネル１７３を有している。なお、ＬＣＤパネル１７２には、メインコントロール部１６０のＲＯＭ１６２に記憶されている表示データに対応するさまざまな表示パターンおよび入力キーエリア、たとえば、原稿Ｄを原稿台１１にセットする際の基準位置を変更可能な基準位置選択モードの入力を示唆するパターンなどが表示される。
【００６２】
コントロールパネル１７０には、また、たとえば、複写枚数の入力に利用される０から９までの数字キー１８１、コピー枚数をクリアすなわち「１」に戻すクリアキー１８２、コピーをスタートするプリントキー１８３、複写条件を初期状態にするオールクリアキー１８４、複写倍率を設定する倍率設定キー１８５、基準表示装置１２を中央基準あるいは角基準のいづれかで動作させるための基準位置の変更を入力するための基準変更キー１８６、両面／両面、片面／両面などの複写モードを設定するための複写モード設定キー１８７、画像データを印字するための用紙の大きさすなわち大きさの異なる用紙を収容している用紙供給元としてのカセットおよびＬＣＦを切り換えるための指示に対応する切り換え信号を出力するカセット切り換えキー１８８、及び、用紙に形成される出力画像の画像を所定の濃度にセットするための濃度調整キー１８９などが配置されている。
【００６３】
図４は、図２に示した複写装置に組み込まれる原稿位置検知センサの例を示す概略図である。
図４に示されるように、原稿位置検知センサ１７は、複写装置２の原稿台１１の下方であって、原稿台１１と基準表示装置１２とにより囲まれる２辺の隅すなわち原稿台１１上で原稿Ｄがセット可能な領域の角部に対応される位置に配置されている。
【００６４】
原稿位置検知センサ１７は、たとえば、所定の波長の光を出射するＬＥＤ素子１７ａとＬＥＤ素子１７ａから出射された光が原稿Ｄで反射された場合にのみ反射光が入射するよう配置されたフォトディテクタ１７ｂを有し、フォトディテクタ１７ｂに所定の光強度を有する反射光が入射された場合に、プリンタ部１３０の入力回路１３５に、所定の大きさの原稿検知電圧を出力する。なお、原稿Ｄが原稿台１１に対して中央基準でセットされた場合であっても、原稿Ｄの大きさが複写装置２が複写可能な原稿サイズの上限に近い場合には、基準表示装置１２と接する原稿台１１の端部と原稿Ｄの端部との間の隙間Ｓが僅かになることから、原稿位置検知センサ１７は、原稿台１１の端部に近接して配置される。
【００６５】
図５は、図２に示した複写装置に組み込まれる基準表示装置の一例を示す概略平面図である。
基準表示装置１２は、原稿台１１の図中左方の先端部１１ａを押さえ込むよう原稿台１１の上方から配置される。
【００６６】
基準表示装置１２は、表示装置本体２００と表示装置本体２００内部に組み込まれた複数の発光体２０１，２０２および２１１ないし２１９とを有している。また、表示装置本体２００の上面には、各発光体２０１，２０２および２１１ないし２１９が点灯した場合に独立に照明される基準マーク２２１，２２２およびサイズマーク２３１ないし２３９が配置されている。
【００６７】
発光体２０１および２０２は、それぞれ、原稿台１１に原稿Ｄがセットされる場合の基準となる位置を示すための基準マーク２２１および２２２を照明するもので、コントロールパネル１７０の基準変更キー１８６が押されるごとに、角基準であることを示す発光体２０１および中央基準であることを示す発光体２０２が交互に点灯される。これにより、基準変更キー１８６が押されるごとに、基準マーク２２１および２２２が交互に表示される。
【００６８】
発光体２１１ないし２１９は、それぞれ、サイズマーク２３１ないし２３９を照明するもので、発光体２１１ないし２１３は、それぞれ、基準変更キー１８６を介して角基準が入力された場合に、角基準マーク２２１とともに、「Ａ４」，「Ｂ４」および「Ａ３」の原稿の大きさに対応する位置に配置されているサイズマーク２３１ないし２３３を表示させる。また、発光体２１４ないし２１９は、それぞれ、基準変更キー１８６を介して中央基準が入力された場合に、中央基準マーク２２２とともに、「Ａ４」，「Ｂ４」および「Ａ３」の原稿の２辺に対応する位置に配置されているサイズマーク２３４ないし２３９を表示させる。
【００６９】
次に、複写装置により原稿の画像を複写する際の原稿の基準位置と複写装置の動作について説明する。
図６は、原稿台１１に原稿Ｄをセットする場合の角基準と中央基準との相違を示すものである。
【００７０】
図６に示されるように、「Ａ３」サイズの原稿Ｄが角基準で原稿台１１にセットされる場合には、原稿Ｄの先端が基準表示装置１２の基準線１２ａに接せられるとともに、先端に接する２辺のうちの一方の側辺が基準線１２ａと直交するよう配置された原稿台１１の側規制部材１１ａに突き当てられる。これにより、原稿Ｄは、図５に示した基準マーク２２１と原稿Ｄの４角の１つとが一致された状態で原稿台１１の図中上方かつ図中左寄りにセットされる。
【００７１】
これに対して、「Ａ３」サイズの原稿Ｄが中央基準で原稿台１１にセットされる場合には、原稿Ｄの先端部の中心が図５に示した基準マーク２２２と整合された状態で原稿Ｄの先端部が基準表示装置１２の基準線１２ａに接せられる。すなわち、「Ａ３」サイズの原稿Ｄは、基準表示装置１２の図５に示したサイズマーク２３８と２３９との間にセットされる。
【００７２】
ここで、「Ａ３」サイズの原稿Ｄの角基準と中央基準との間の原稿Ｄの画像の読みだし位置の差すなわち原稿台１１の側規制部材１１ａの位置すなわち角基準における原稿Ｄの側辺Ｄａの位置と中央基準における原稿Ｄの側辺Ｄａ´の位置との間の距離ＱＡ３  ［ｍｍ］  を求めると、角基準と中央基準との間の基準位置の差がｎ  ［ｍｍ］  で、「Ａ３」サイズの原稿Ｄの幅がＰＡ３  ［ｍｍ］  で、それぞれ示されるとき、
ＱＡ３  ＝  ｎ  −  ＰＡ３／２
と求められる。
【００７３】
同様にして、すべてのサイズの原稿Ｄに関し、角基準と中央基準との間の原稿Ｄの画像の読みだし位置の差Ｑ  ［ｍｍ］  を求めると、角基準と中央基準との間の基準位置の差がｎ  ［ｍｍ］  で、対応する原稿Ｄの幅がＰ  ［ｍｍ］  で、それぞれ示されるとき、
Ｑ  ＝  ｎ  −  Ｐ／２
で示される。
【００７４】
次に、図７ないし図９を用いて、原稿Ｄの画像の読みだし位置と用紙Ｐに形成される画像の書き出し位置との関係について説明する。
一般に、複写装置２において、原稿台１１にセットされた原稿Ｄの画像を読み取る場合には、原稿Ｄに含まれる画像領域をＣＣＤイメージセンサ２４の長手方向と一致した第１の方向すなわち主走査方向とこの主走査方向と直交する第２の方向すなわち副走査方向とに便宜上分割し、主走査方向に関して所定の副走査方向の幅で画像情報を読み取ったのち、副走査方向に関して１回の読み取りにより得られた副走査方向の幅に対応する分だけ読取り位置をずらして、原稿Ｄの長さ方法に読取りを繰り返すことで原稿Ｄのすべての画像情報を光電変換する方法が利用される。
【００７５】
多くの場合、第一キャリッジ１６の照明ランプ１３および感光体ドラム３０の軸線が延出される方向すなわち基準表示装置１２が延出されている方向と主走査方向とが一致され、第一キャリッジ１６が移動される方向および観光態度らｍ卯３０が回転される方向すなわち基準表示装置１２の基準線１２ａと直交する方向と副走査方向とが一致される。
【００７６】
これにより、第一キャリッジ１６の照明ランプ１７により照明された原稿Ｄの所定幅の領域からの反射光が第１ミラー１５、第２ミラー２１および第３ミラー２２により順に反射されたのち結像レンズ２３によりＣＣＤイメージセンサ２４の受光面に結像され、副走査方向に所定の幅を有する主走査方向の第１の画像情報が光電変換される。続いて、第一キャリッジ１６が副走査方向の所定の幅の分だけ移動されることで、副走査方向に所定の幅を有する主走査方向の第２の画像情報が光電変換される。以下、第一キャリッジ１６が移動されるにつれて、副走査方向に所定の幅を有する主走査方向の第３，第４，第５‥‥‥の画像情報が、ＣＣＤイメージセンサ２４により順に光電変換されて、原稿Ｄの画像情報が照明ランプ１７に照明されることによる明暗情報として読み取られる。なお、ＣＣＤイメージセンサ２４による１回の読み取りにより光電変換される原稿Ｄの副走査方向の画像領域の幅は、ＣＣＤイメージセンサ２４に固有の読み取り解像度あるいはＣＣＤイメージセンサ２４に固有の読み取り解像度を上限としたコントロールパネルからの入力に対応する解像度に応じて、たとえば、１／４００ドット・パー・インチ  （以下、  ［ｄｐｉ］  とする）  あるいは１／２００  ［ｄｐｉ］  に規定される。
【００７７】
ところで、図７  （ａ）  に示されるように原稿Ｄが角基準でセットされた場合には、ＣＣＤイメージセンサ２４を介して原稿Ｄの画像情報が読み取られる場合の読取り開始位置は、図７  （ｂ）  に示されるように原稿Ｄを表面すなわち原稿Ｄの画像情報面から見た状態で原稿Ｄの大きさすなわち原稿サイズに拘りなく、ＣＣＤイメージセンサ２４の画像読取り位置の左端に一致される。
【００７８】
これに対して、図８  （ａ）  に示されるように原稿Ｄが中央基準でセットされた場合には、ＣＣＤイメージセンサ２４を介して原稿Ｄの画像情報が読み取られる場合の読取り開始位置は、図８  （ｂ）  に示されるように原稿Ｄの大きさすなわち原稿サイズに固有の読取り開始位置に一致される。
【００７９】
一方、複写装置２のレーザ露光装置３２は、ＰＦＰ４０、ＬＣＦ４７および手差しフィーダ５０のそれぞれから感光体ドラム３０に向けて給送される用紙Ｐと感光体ドラム３０との相対位置から求められる書き出し位置に、画像形成すべき画像データに対応するレーザビームを照射する。
【００８０】
ところで、感光体ドラム３０に向けて給送される用紙Ｐは、用紙Ｐを搬送するためのさまざまなローラおよび搬送ベルトなどに代表される用紙搬送機構の部分的な磨耗あるいは定着装置を通過された用紙Ｐに生じることのある「しわ」を防止するために、用紙サイズに拘りなく、主走査方向の中心と用紙Ｐが搬送される方向と直交する方向の用紙Ｐの中心とが一致するよう給送される。
【００８１】
このことから、図９に示されるように、レーザ露光装置３２から感光体ドラム３０に向けて照射されるレーザビームの書き出し位置は、画像が形成される用紙Ｐの大きさに応じてあらかじめ規定される固有の書き出しに一致されなければならない。なお、用紙Ｐの大きさは、原稿Ｄの大きさとコントロールパネル１７０から入力される複写倍率との応じて規定されることから、レーザ露光装置３２からのレーザビームの書き出し位置は、原稿Ｄの大きさに依存しないことはいうまでもない。
【００８２】
すなわち、レーザ露光装置３２から感光体ドラム３０に向けて出射されるレーザビームの書き出し開始位置すなわち書き出しタイミングは、原稿Ｄが原稿台１１に「角基準」および「中央基準」のいづれの方法でセットされた場合であっても、用紙Ｐの大きさが「Ａ３」である場合を基準として、実際に利用される用紙Ｐｎ  （ｎは、用紙のサイズを示す）  の大きさの差をｘ  ［ｍｍ］  、及び、用紙Ｐｎに対する書き出し位置の遅れ分をｙ  ［ｍｍ］  とすると、用紙Ｐｎの大きさが「Ａ４」の場合には、
ｙＡ４  ＝  ｘＡ４／２
で示され、同様に、用紙Ｐｎの大きさが「Ｂ４」の場合には、
ｙＢ４  ＝  ｘＢ４／２
で示されるように、用紙Ｐの大きさに固有の書き出し位置が与えられる。
【００８３】
次に、図１および図２に示した複写装置による原稿の画像の複写動作について説明する。
複写装置２は、図示しないメインスイッチがオンされることにより、ＲＯＭ１６２に記憶されている制御プログラムに従ってウォームアップされてイニシャライズされる。また、メインＣＰＵ１６１の制御によるスキャナ部１２０のスキャナＣＰＵ１２１の指示により、図示しないＡＤＦＲＯＭに記憶されている制御プログラムにしたがってＡＤＦ８もイニシャライズされる。なお、ＡＤＦ８は、原稿台１１に対して、原稿Ｄを「中央基準」で給送するものとする。
【００８４】
複写すべき原稿ＤがＡＤＦ８の原稿トレイ７２にセットされたのちコントロールパネル１７０のプリントキー１８３がオンされると、ＡＤＦ８の図示しないエンプティセンサがオンであることが図示しないＡＤＦＣＰＵによりチェックされる。エンプティセンサにより原稿Ｄが原稿トレイ７２にセットされたことが検知されると、図示しないモータ駆動回路からの図示しない給紙モータへの駆動電流の供給にともなってピックアップローラ７３が駆動されて、原稿トレイ７２にセットされた原稿Ｄの最下部の原稿が給紙ローラ７４に案内される。給紙ローラ７４に案内された原稿Ｄは、さらに、アライニングローラ７５に向かって搬送される。
【００８５】
続いて、原稿Ｄの先端がアライニングセンサ７５ａを通過されることにより図示しないＡＤＦ機構制御部を介して図示しないクラッチがオンされて、アライニングローラ７５が停止される。これにより、ピックアップローラ７３により原稿トレイ７２から取り出された原稿Ｄが一時的に停止されることで、原稿Ｄにおける原稿搬送方向に対する傾きが補正される。こののち、図示しない駆動モータによりベルトローラ７７が第１の方向すなわち原稿給紙方向に回転されて搬送ベルト７６が回転されたのち、所定のタイミングで図示しないクラッチがオフされ、アライニングローラ７５から搬送ベルト７６へ原稿Ｄが給送される。こののち、搬送モータにより搬送ベルト７６が所定時間回転されることで、原稿Ｄが複写装置２の原稿台１１上に搬送される。なお、搬送ベルト７６は、原稿Ｄの後端がアライニングセンサ７５ａを通過されてから一定時間すなわちアライニングセンサ７５ａと基準指示装置１２との間隔により予め決められている時間経過後に停止されるとともに、図示しないブレーキにより慣性による回転が防止される。
【００８６】
アライニングセンサ７５ａにより原稿Ｄの先端が検知された時点で、図示しないＡＤＦＣＰＵから複写装置２のスキャナ部１２０のスキャナＣＰＵ１２１に対して原稿Ｄが所定位置に搬送されたことが報知され、続いて、ＡＤＦ８を介して検知された原稿Ｄの大きさとコントロールパネル１７０を介して設定された複写倍率とに基づいてメインＣＰＵ１６１により最適な大きさを有する用紙Ｐを収容しているカセットが選択される。続いて、入力された複写倍率に応じて、ＣＣＤラインセンサ２４からラインメモリ１２７に画像データを取り込む画像データの読み込み開始位置がＲＯＭ１６２から呼び出されたのちＲＡＭ１６３に記憶される。このとき、原稿Ｄの大きさと入力された複写倍率とに基づいてメインＣＰＵ１６１により算出された用紙Ｐの大きさと複写倍率に従って規定される画像領域の大きさが一致しない場合には、用紙Ｐの大きさを基準とした読み込み開始位置すなわち複写可能原稿領域が算出される。また、同時に、レーザ露光装置３２による感光体ドラム３０への書き出し開始位置も同様の方法で規定されたのちＲＯＭ１６２から読み出されてＲＡＭ１６３に記憶される。
【００８７】
なお、複写可能原稿領域の大きさは、複写装置２が給送可能な最大の大きさの用紙サイズにより上限が制限されることから、給送可能な最大の大きさの用紙サイズを「Ａ３」とすれば、たとえば、原稿Ｄのサイズが「Ｂ４」であって複写倍率として１４１％が入力された場合であっても、実際に複写可能な大きさは「Ａ４」サイズ分に制限される。従って、この場合、読み込み開始位置は、「Ａ４」サイズに対応する位置に設定される。また、たとえば、「Ａ４」サイズの原稿Ｄに対して１０５％の複写倍率が入力された場合には、「Ｂ４」サイズの用紙Ｐを収容しているカセットが選択されるとともに、原稿Ｄの読取り開始位置として、複写倍率に対応する読取り位置の変位分を含む「Ｂ４」サイズ原稿の読取り開始位置がＲＯＭ１６２から呼び出される。これとは別に、「Ａ４」サイズよりも小さく「Ｂ５」サイズよりも大きな原稿Ｄが原稿台１１にセットされ、１００％の複写倍率が選択された場合には、「Ａ４」サイズの用紙Ｐを収容しているカセットが選択されるとともに、原稿Ｄの読取り開始位置として、複写倍率１００％の「Ａ４」サイズの原稿の読取り開始位置がＲＯＭ１６２から呼び出される。
【００８８】
次に、第一キャリッジ１６の照明ランプ１３が所定の明るさで点灯され、図示しないパルスモータの回転によって、第一キャリッジ１６が原稿台１１上の原稿Ｄに沿って所定の速度で移動される。続いて、原稿台１１に載置された原稿Ｄの画像情報は、露光ランプ１３および反射板１４を介して照明されることにより生じる反射光として、第一キャリッジ１６の第１ミラー１５、及び、第二キャリッジ２０の第２ミラー２１および第３ミラー２２を順に反射され、結像レンズ２３を介して、ＣＣＤラインセンサ２４の読取面に結像される。
【００８９】
ＣＣＤラインセンサ２４に結像された原稿Ｄの画像情報すなわち原稿Ｄからの反射光は、ＣＣＤラインセンサ２４により所定の解像度で光電変換されたのち、ＲＡＭ１６３に記憶された読み込み開始位置に対応するＣＣＤラインセンサ２４の図示しない所定位置の画素から順にとりこまれ、Ａ／Ｄ変換回路１２５により２値化され、シェーディング補正回路１２６を介してスレショルドレベルが補正されてラインメモリ１２７に出力される。
【００９０】
ラインメモリ１２７に入力された画像データは、データ切り換え／バッファメモリ１６６を経由して画像処理部１６７に転送され、たとえば、文字特定および輪郭補正などの所定の補正および変換が施されて、ページメモリ１４５に出力される。ページメモリ１４５に入力された画像データは、図示しないパラレル−シリアル変換回路を介してレーザ駆動信号  （印字信号）  に変換されたのち、レーザ露光装置３２へ供給される。
【００９１】
スキャナ部１２０による原稿Ｄの画像情報の読取りと平行して  （あるいは所定のタイミングで）  、メインＣＰＵ１６１の制御によりモータ駆動回路１３４からのモータ駆動電圧の供給によって図示しないモータが付勢され、感光体ドラム３０が所望の速度で回転される。同時に、電圧供給回路１３８の制御により帯電装置３１から感光体ドラム３０の表面に所定の電位が与えられる。一例を示すと、感光体ドラム３０に供給される初期表面電位は、おおむね、−６５０ボルトに設定される。
【００９２】
引き続いて、レーザ露光装置３２により、感光体ドラム３２の表面に、原稿Ｄの画像に対応する画像データすなわちページメモリ１４５に記憶され、図示しないパラレル−シリアル変換回路を介してビットマップデータからシリアルデータに変換された印字信号に応じて変調されたレーザビームが照射される。なお、レーザ露光装置３２から出射されるレーザビームの出射タイミングすなわち書き出し開始位置は、既に説明したように、用紙Ｐの大きさに対応されてＲＡＭ１６３に記憶されている書き出し位置に基づいて、図示しない水平同期信号から所定の主走査方向クロック分だけディレイが付加されることはいうまでもない。
【００９３】
これにより、感光体ドラム３０の外周面に、印字信号  （画像データ）  に対応する静電潜像が形成される。このようにして形成された静電潜像は、電圧供給回路１３８により、たとえば、−４５０ボルトの現像バイアス電圧が印加されている現像装置３３の現像ローラ３３ａから供給されるトナーによって現像され、同様に、電圧供給回路１３８により所定の転写電圧が印加されている転写・剥離チャージャ３４からの転写出力により、用紙Ｐに、トナー像として転写される。
【００９４】
用紙Ｐに転写されたトナー像は、電圧供給回路１３８により所定の剥離電圧が印加されている転写・剥離チャージャ３４からの剥離出力と剥離爪３５により、用紙Ｐとともに感光体ドラム３０の表面から剥離され、搬送ベルト５７によって定着装置５８へ搬送され、定着装置５８を介して用紙Ｐに定着される。
【００９５】
トナー像が定着された用紙Ｐは、第１および第２の排出ローラ６１および６２を介して複写装置２の外部に配置されている排紙トレイ５９に排紙される。
用紙Ｐにトナー像を転写した感光体ドラム３０は、引き続き回転され、クリーニング装置３６を介して残存トナーが取り除かれたのち除電装置３７により除電され、引き続いて、次の画像形成に利用される。
【００９６】
一方、現在、原稿台１１上に位置されている第一の原稿Ｄの読み取りが終了した時点で、メインＣＰＵ１６１の制御によるスキャンＣＰＵ１２１の指示により図示しないＡＤＦＣＰＵに、次の原稿Ｄの給送すなわち原稿Ｄの入れ換えが要求される。すなわち、図示しないモータ駆動回路からの図示しない搬送モータへの駆動電流により搬送モータが回転されて、搬送ベルト７６が回転される。これにより、現在原稿台１１にセットされている第一の原稿が反転ローラ７８に向かって搬送され、フラッパ８０および排紙ローラ８１によりカバー７１の所定の位置に形成されている原稿受け領域に排出される。
【００９７】
続いて、図示しないエンプティセンサにより、引き続く原稿Ｄの有無がチェックされ、原稿Ｄが残っている場合には、原稿給送動作が繰り返され、以下、第一の原稿と同様にして、原稿台１１に、第二の原稿がセットされ、第二の原稿の画像情報が読み取られる。
【００９８】
このようにして、ＡＤＦ８の原稿トレイ７２にセットされたすべての原稿Ｄについて、一連の画像形成が繰り返される。
次に、図１および図２に示した複写装置において、利用者により原稿Ｄが原稿台１１に直接セットされた場合の複写動作について説明する。
【００９９】
図１０は、利用者により原稿台１１に原稿Ｄがランダムにセットされた場合の複写装置２の動作の一例を示すフローチャートである。
図１０に示される通り、複写装置２がスタンバイ状態にあるとき、利用者により原稿台１１に原稿Ｄがセットされたのち、コントロールパネル１７０を介して利用者が複写物を得たい大きさの用紙サイズが入力される  （ＳＴＰ１）  。
【０１００】
次に、利用者によるコントロールパネル１７０の操作により、複写すべき複写倍率が入力される  （ＳＴＰ２）  。
続いて、入力された用紙サイズと複写倍率に基づいて、複写可能原稿領域が規定される  （ＳＴＰ３）  。
【０１０１】
こののち、原稿位置検出センサ１７により、原稿台１１にセットされた原稿Ｄの位置が「角基準」であるか否かが判断される  （ＳＴＰ４）  。
ステップＳＴＰ４において原稿Ｄが「角基準」でセットされたことが検知されない場合  （ＳＴＰ４−Ｎｏ）  には、引き続いて、原稿Ｄが「中央基準」でセットされたか否かが判断される  （ＳＴＰ５）  。
【０１０２】
ステップＳＴＰ５において原稿Ｄが「中央基準」でセットされたことが検知された場合  （ＳＴＰ５−Ｙｅｓ）  には、ＲＡＭ１６３に記憶されている読み込み開始位置のデータがクリアされるとともに、ＲＡＭ１６３に、「読み込みディレイ値Ｔ＝Ｑ」がセットされる。なお、「Ｑ」は、既に説明したように、角基準と中央基準との間の基準位置の差がｎ  ［ｍｍ］  で、対応する原稿Ｄの幅がＰで、それぞれ示されるとき、
Ｑ  ＝  ｎ  −  Ｐ／２
で示される  （ＳＴＰ６）  。
【０１０３】
続いて、原稿Ｄからの反射光がＲＡＭ１６３に記憶された読み込み開始位置に対応するＣＣＤラインセンサ２４の図示しない所定位置の画素から順にとりこまれ、Ａ／Ｄ変換回路１２５により２値化され、シェーディング補正回路１２６を介してスレショルドレベルが補正されてラインメモリ１２７に出力される  （ＳＴＰ７）  。
【０１０４】
以下、既に説明した画像形成動作に従って所定の電位が与えられた感光体ドラム３０の所定の位置に、ＲＡＭ１６３に記憶されている書き出し位置に基づいて主走査方向クロック分だけディレイ値Ｔが付加されたレーザ露光装置３２からの記録レーザビームが照射され、感光体ドラム３０に、原稿Ｄの画像情報が複写倍率に応じて拡大あるいは縮小された状態に対応する静電潜像が形成される。この静電潜像は、現像装置３３により現像され、トナー像に変換される。現像装置３３により感光体ドラム３０に形成されたトナー像は、転写・剥離チャージャ３４を介して既に給送されている用紙Ｐに転写されて、定着装置５８により用紙Ｐに定着される  （ＳＴＰ８）  。
【０１０５】
一方、ステップＳＴＰ４において原稿Ｄが「角基準」でセットされたことが検知された場合  （ＳＴＰ４−Ｙｅｓ）  には、ＲＡＭ１６３に記憶されている読み込み開始位置のデータがクリアされるとともに、ＲＡＭ１６３に、「読み込みディレイＴ＝０」がセットされる  （ＳＴＰ９）  。
【０１０６】
以下、ステップＳＴＰ７およびＳＴＰ８により、原稿Ｄが「中央基準」でセットされた場合と同様に、原稿Ｄの画像が用紙Ｐに複写される。なお、ステップＳＴＰ５において原稿Ｄが「中央基準」でセットされたことが検知されない場合すなわち「角基準」あるいは「中央基準」のいづれとも判断されない場合  （ＳＴＰ５−Ｎｏ）  には、スタンバイ状態に、一旦、戻される。
【０１０７】
図１１は、コントロールパネル１７０を介して、原稿台１１に原稿Ｄがセットされる位置が利用者から入力された場合の複写装置２の動作の一例を示すフローチャートである。
【０１０８】
図１１に示される通り、複写装置２がスタンバイ状態にあるとき、利用者により原稿台１１に原稿Ｄがセットされることで、原稿位置検知センサ１７が動作される  （ＳＴＰ１１）  。ここで、原稿位置検知センサ１７からの出力がオンである場合  （ＳＴＰ１１−Ｙｅｓ）  には、原稿Ｄが原稿台１１に「角基準」でセットされたことを示すＲＡＭ１６３内のフラグＦｓに「１」がセットされる。一方、原稿位置検知センサ１７からの出力がオフである場合  （ＳＴＰ１１−Ｎｏ）  には、フラグＦｓに「０」がセットされる。
【０１０９】
続いて、コントロールパネル１７０の基準変更キー１８６により、原稿Ｄを原稿台１１にセットするための基準位置が変更されたか否かが検知される  （ＳＴＰ１２）  。ここで、コントロールパネル１７０により基準位置の変更が入力された場合  （ＳＴＰ１２−Ｙｅｓ）  には、基準位置が変更されたことを示すＲＡＭ１６３内のフラグＦｃに「０」がセットされる。一方、コントロールパネル１７０により基準位置の変更が入力されない場合  （ＳＴＰ１２−Ｎｏ）  には、フラグＦｃに「１」がセットされる。
【０１１０】
次に、フラグＦｓとフラグＦｃの内容が比較される  （ＳＴＰ１３）  。ここで、Ｆｓ＝ＦｃすなわちＦｓ＝Ｆｃ＝０またはＦｓ＝Ｆｃ＝１である場合  （ＳＴＰ１３−Ｙｅｓ）  には、原稿台１１に原稿Ｄが「角基準」でセットされたことが判定される。この場合、ＲＡＭ１６３に記憶されている読み込み開始位置のデータがクリアされるとともに、ＲＡＭ１６３に、「読み込みディレイＴ＝０」がセットされる  （ＳＴＰ１４）  。
【０１１１】
続いて、原稿Ｄからの反射光がＲＡＭ１６３に記憶された読み込み開始位置に対応するＣＣＤラインセンサ２４の図示しない所定位置の画素から順にとりこまれ、Ａ／Ｄ変換回路１２５により２値化され、シェーディング補正回路１２６を介してスレショルドレベルが補正されてラインメモリ１２７に出力される  （ＳＴＰ１５）  。
【０１１２】
以下、既に説明した画像形成動作に従って所定の電位が与えられた感光体ドラム３０の所定の位置に、ＲＡＭ１６３に記憶されている書き出し位置に基づいて主走査方向クロック分だけディレイ値Ｔが付加されたレーザ露光装置３２からの記録レーザビームが照射され、感光体ドラム３０に、原稿Ｄの画像情報が複写倍率に応じて拡大あるいは縮小された状態に対応する静電潜像が形成される。この静電潜像は、現像装置３３により現像され、トナー像に変換される。現像装置３３により感光体ドラム３０に形成されたトナー像は、転写・剥離チャージャ３４を介して既に給送されている用紙Ｐに転写されて、定着装置５８により用紙Ｐに定着される  （ＳＴＰ１６）  。
【０１１３】
一方、ステップＳＴＰ１３において、ＦｓおよびＦｃのいづれかが「１」である場合  （ＳＴＰ１３−Ｎｏ）  には、原稿Ｄが原稿台１１に「中央基準」でセットされたことになる。この場合、ＲＡＭ１６３に記憶されている読み込み開始位置のデータがクリアされるとともに、ＲＡＭ１６３に、「読み込みディレイ値Ｔ＝Ｑ」がセットされる。なお、「Ｑ」は、既に説明したように、角基準と中央基準との間の基準位置の差がｎ  ［ｍｍ］  で、対応する原稿Ｄの幅がＰで、それぞれ示されるとき、
Ｑ  ＝  ｎ  −  Ｐ／２
で示される  （ＳＴＰ１７）  。
【０１１４】
以下、ステップＳＴＰ１５およびＳＴＰ１６により、原稿Ｄが「角基準」でセットされた場合と同様にして、原稿Ｄの画像が用紙Ｐに複写される。
なお、図４に示した原稿位置検知センサに換えて、以下に示す図１２に表されるような基準表示装置１２の基準線１２ａと原稿Ｄの先端とが接触することを検知する先端検知スイッチ２５１および原稿台１１の側規制部材１１ａと原稿Ｄの先端に接する２辺のうちの一方の側辺とが接触することを検知する側辺検知スイッチ２５２が配置されてもよい。この場合、先端検知スイッチ２５１が配置される位置を工夫することで、側辺検知スイッチ２５２が省略されてもよい。
【０１１５】
【発明の効果】
以上説明したように、この発明の画像形成装置によれば、原稿台により支持される原稿の画像を読み取る読み取りを開始する位置は、原稿位置検知センサで検知された「角基準」位置と「中央基準」位置との間でＣＰＵにより切り換えられる。
【０１１６】
また、原稿台により支持される原稿の画像を読み取る読み取りを開始する位置は、基準表示装置により指示された位置とコントロールパネルにより入力された位置とに基づいて、「角基準」位置と「中央基準」位置との間でＣＰＵにより切り換えられる。
【０１１７】
さらに、ＣＣＤイメージセンサの受光面に結像された原稿の画像の読み取りが開始される位置は、基準表示装置により指示された位置とコントロールパネルにより入力された位置とに基づいて、ＣＰＵにより「角基準」位置と「中央基準」位置との間で切り換えられるとともに、コントロールパネルにより入力されたと各カセットおよびＬＣＦならびに手差フィーダのいづれかにより給送される用紙の大きさに基づいて、ＣＰＵで変更された読み取りを開始する位置に対応して画像が形成される。
【０１１８】
これにより、原稿台に原稿がセットされる位置が変化された場合であっても、原稿台に原稿がセットされた状態とおおむね等しい状態で、用紙に原稿の画像を提供できる。また、利用者が複数の複写装置を保有し、その複写装置が角基準と中央基準の双方である場合には、記録材の中心と複写によって得られた画像の中心とが一致しないという不所望な複写物が生じることが防止でき、コピーコストが低減できる。
【図面の簡単な説明】
【図１】この発明の実施例が組込まれる画像形成装置を示す概略ブロック図。
【図２】図１に示した画像形成装置の一例を示す概略断面図。
【図３】図１および図２に示した画像形成装置のコントロールパネルの一例を示す概略平面図。
【図４】図１および図２に示した画像形成装置に組み込まれる原稿位置検知センサの位置を示す概略図。
【図５】図１および図２に示した画像形成装置に組み込まれる基準表示装置の一例を示す概略図。
【図６】図１および図２に示した画像形成装置に原稿をセットする場合の中央基準と角基準との相違を示す概略図。
【図７】図１および図２に示した画像形成装置の原稿台に角基準でセットされた原稿の画像の読みだし開始位置とＣＣＤイメージセンサの画像読取り位置との関係を示す概略図。
【図８】図１および図２に示した画像形成装置の原稿台に中央基準でセットされた原稿の画像の読みだし開始位置とＣＣＤイメージセンサの画像読取り位置との関係を示す概略図。
【図９】図１および図２に示した画像形成装置においてレーザ露光装置から感光体ドラムに向けて照射されるレーザビームの書き出し位置と用紙の大きさとの関係を示す概略図。
【図１０】図１ないし図５に示した画像形成装置における原稿の画像の読みだし開始位置の変更手順を示すフローチャート。
【図１１】図１０に示した原稿の画像の読みだし開始位置の変更手順とは異なる変更手順を示すフローチャート。
【図１２】図４に示した原稿位置検知センサの他の例を示す概略図。
【符号の説明】
２…ディジタル複写装置、            ４…画像読取部、
６…画像形成部、                    ８…ＡＤＦ  （原稿自動給送装置）  、
１１…原稿台、                      １２…基準表示装置、
１３…露光ランプ、                  １４…補助反射板、
１５…第１ミラー、                  １６…第一キャリッジ、
１７…原稿位置検知センサ、          １７ａ…ＬＥＤ素子、
１７ｂ…フォトディテクタ、          ２０…第二キャリッジ、
２１…第２ミラー、                  ２２…第３ミラー、
２３…結像レンズ、                  ２４…ＣＣＤイメージセンサ、
３０…感光体ドラム、                ３１…帯電チャージャ、
３２…レーザ露光装置、              ３３…現像装置、
３４…転写・剥離チャージャ、        ３５…剥離爪、
３６…クリーニング装置、            ３７…除電装置、
４０…多段給紙装置、                ４１…上段カセット、
４２…中段カセット、                ４３…下段カセット、
４４ａ，４４ｂ，４４ｃ…ピックアップローラ、
４５ａ，４５ｂ，４５ｃ…搬送ローラ、
４６ａ，４６ｂ，４６ｃ…分離ローラ、
４７…ＬＣＦ  （大容量フィーダ）  、    ４８…ピックアップローラ、
４９ａ…搬送ローラ、                ４９ｂ…分離ローラ、
５０…手差しフィーダ、              ５１…ピックアップローラ、
５２…手差しガイド、                ５３…搬送ローラ、
５４…搬送路、                      ５５…搬送ローラ、
５６…アライニングローラ、          ５６ａ…アライニングセンサ、
５７…搬送ベルト、                  ５８…定着装置、
５９…排出トレイ、                  ６０…排出切換ユニット、
６１…第１の排出ローラ、            ６２…第２の排出ローラ、
６３…振り分けゲート、              ６４…反転機構、
６５…一時集積部、                  ６６…反転路、
６７…ピックアップローラ、          ６８…反転搬送路、
６９…給紙ローラ、                  ７１…カバー、
７２…原稿給紙台、                  ７３…ピックアップローラ、
７４…給紙ローラ、                  ７５…アライニングローラ、
７５ａ…アライニングセンサ、        ７６…搬送ベルト、
７７…ベルトローラ、                ７８…反転ローラ、
７９…ピンチローラ、                ８０…フラッパ、
８１…排紙ローラ、                  ８２…ジャムセンサ、
１１０…コントロールパネル部、      １１１…コントロールパネルＣＰＵ、
１１２…ＲＯＭ、                    １１３…ＲＡＭ、
１２０…スキャナ部、                １２１…スキャナＣＰＵ、
１２２…ＲＯＭ、                    １２３…ＲＡＭ、
１２４…機構制御部、                １２５…Ａ／Ｄ変換回路、
１２６…シェーディング補正回路、    １２７…ラインメモリ、
１２８…エディタ、                  １３０…プリンタ部、
１３１…プリンタＣＰＵ、            １３２…ＲＯＭ、
１３３…ＲＡＭ、                    １３４…モータ駆動回路、
１３５…入力回路、                  １３６…機構制御部、
１３７…温度制御回路、              １３８…電圧供給回路、
１３９…レーザ駆動回路、            １４０…メモリ編集部、
１４１…メモリ制御ＣＰＵ、          １４２…画像編集部、
１４３…圧縮／伸張部、              １４４…拡大／縮小／回転部、
１４５…ページメモリ、              １４６…アドレス制御部、
１４７…メモリ管理制御部、          １４８…割込制御部、
１５０…システム部、                １５１…システムＣＰＵ、
１５２…ファクシミリ装置、          １５３…ハードディスク装置、
１５４…ＬＡＮ  （ローカル・エリア・ネットワーク）  、
１５５…プリンタコントローラ、      １６０…メインコントロール部、
１６１…メインＣＰＵ、              １６２…ＲＯＭ、
１６３…ＲＡＭ、                    １６４…プリンタフォントＲＯＭ、
１６５…ディスプレイフォントＲＯＭ、
１６６…データ切り換え／バッファメモリ、
１６７…画像処理部、                １７０…コントロールパネル、
１７１…タッチパネル、              １７２…ＬＣＤパネル、
１７３…ＬＥＤパネル、              １８１…数字キー、
１８２…クリアキー、                １８３…プリントキー、
１８４…オールクリアキー、          １８５…倍率設定キー、
１８６…基準変更キー、              １８７…複写モード設定キー、
１８８…カセット切り換えキー、      １８９…濃度調整キー、
２０１，２０２…発光体、            ２１１〜２１９…発光体、
２２１…角基準マーク、              ２２２…中央基準マーク、
２３１〜２３３…サイズマーク、      ２３４〜２３９…サイズマーク、
２５１…先端検知スイッチ、          ２５２…側辺検知スイッチ。
【図１】
0003628057.tif 000002
【図２】
0003628057.tif 000003
【図３】
0003628057.tif 000004
【図４】
0003628057.tif 000005
【図５】
0003628057.tif 000006
【図６】
0003628057.tif 000007
【図７】
0003628057.tif 000008
【図８】
0003628057.tif 000009
【図９】
0003628057.tif 000010
【図１０】
0003628057.tif 000011
【図１１】
0003628057.tif 000012
【図１２】
0003628057.tif 000013